(57)【特許請求の範囲】
【請求項１】
樹脂材により全体を所要長さと所要径で両端の開口部を僅かに肉厚のリング状にし、陰茎を遊嵌状態で保持する筒状体に形成し、
該筒状体の一端部側を僅かに拡径して背面側に湾曲させ、他端部側を縮径して形成し、
前記筒状体の前面側の側面を長さ方向に沿って緩やかな曲面に形成すると共に、長さ方向に沿って一対の突出部を設けたこと
を特徴とする包茎治療具。
【請求項２】
前記筒状体の一端部側と他端部側で、少なくとも一対の突出部間に切欠部を設けたこと
を特徴とする請求項１に記載の包茎治療具。
【請求項３】
前記筒状体の所要長さが１００±５ｍｍで、所要径が４５±５ｍｍであること
を特徴とする請求項１に記載の包茎治療具。
【請求項４】
前記筒状体に複数の孔を設けたこと
を特徴とする請求項１乃至３のいずれかに記載の包茎治療具。
【発明の詳細な説明】
【技術分野】
【０００１】
本発明は、主として仮性包茎を矯正または治療するために使用される治療具に関するものである。
【背景技術】
【０００２】
この種の治療具としては、種々の構成のものが公知または周知になっている。第１の公知例として、例えば、撓みやすい柔軟材により帯状に形成された基体の内外両面に粘着層を形成し、各粘着層の表面に剥離紙を貼着した構成の治療具であり、内側の剥離紙を剥がして治療具を陰茎の根元部乃至中間部に貼着し、外側の粘着層上に亀頭を覆っている余剰包皮を引っ張って貼着することにより、亀頭を露出させて鍛錬し、包皮を適正位置に強制するものが公知になっている（特許文献１）。
【０００３】
この治療具は、締め付けによる圧迫感や不快感を感じさせることなく陰茎に手軽に装着し、包皮表面に傷をつけることなく安全且つ確実に包皮の位置を矯正すると共に、亀頭を次第に鍛錬して、専門医の手術によることなく陰茎部の発育不全を治療することができるというものである。
【０００４】
第２の公知例として、紐状の弾性体の両端部を連結することにより陰茎に装着脱可能なリング状の装着体が形成され、且つ該両端部の少なくとも一方の端部が延設されて包皮戻り防止部が形成されてなる構成を有する包茎治療具が公知になっている（特許文献２）。
【０００５】
この包茎治療具は、装着体が弾性体で形成されているので、伸び縮して種々な陰茎にフィットし、しかも、包皮戻り防止突部も弾性体で構成されているため、装着時に痛みを感ずることもなく、更に、ズボンを履いた状態にあっては包皮戻り防止突部が適宜折れ曲がるので違和感もなく、普段の生活に支障を来さないというものである。
【０００６】
第３の公知例として、軟質弾性材に天然鉱石を配合した筒状の男性器サックに空気穴を設け形状をバネ状にすることよりなる全体に伸縮性が優れた男性器機能促進及び包茎矯正用具が公知になっている（特許文献３）。
【０００７】
この包茎矯正用具については、構成として説明されていないが図示の実施例からして、両端部が肉厚のリング状に形成されており、その一方のリング状の端部を亀頭部根元に嵌め込み、包皮をペニスの付け根の下腹部の方向に引っ張りながら他方のリング状端部をペニスに装着するもので、側面部がバネ状になっているので包皮をペニスの付け根側に常に押し返すというものである。
【０００８】
【特許文献１】特開平９−１４０７３７号公報
【特許文献２】特開平１０−５２４５３号公報
【特許文献３】特開２００７−１４４０８８号公報
【発明の開示】
【発明が解決しようとする課題】
【０００９】
ところで、前記特許文献１に記載の治療具は、柔軟材で形成された帯状基材の内外両面に粘着層を設け、内側の粘着層を陰茎の根元部乃至中間部に貼着して帯状基材を巻き付けるようにして取り付け、外側の粘着層上に亀頭を覆っている余剰包皮を引っ張って貼着するというものであり、毎日使い捨てにする治具であって、例えば、風呂に入る前に陰茎から取り外し、就寝前に新しい治具を陰茎に貼着して取り付けるようにするものであるが、粘着層を形成する接着剤はある程度の粘着強度がないと陰茎への貼着と余剰包皮の貼着が安定しないが、粘着強度が高いと取り外す際に貼着部に対して支障を来すと共に手間が掛かるいう問題点を有している。また、帯状基材は巻き付けて貼着しても包皮を引っ張って貼着しても、帯状基材は伸縮性がないのであるから、貼着されている部分は引っ張られた状態のままであるため、常に引っ張りまたは貼着という不快感を与えるばかりでなく、却って伸びきった余剰の包皮が形成されてしまうという問題点を有している。
【００１０】
また、前記特許文献２に記載の治療具は、陰茎への装着体が紐状の弾性体で形成されているので、伸び縮して種々な陰茎にフィットするとしているが、陰茎は膨張・収縮が大きいことから、装着体は収縮状態に合わせたサイズに形成されていると認められるが、収縮した状態でも装着体の離脱を防止するために更に締め付けるように縮径して装着させなければならず、陰茎のサイズに合わせた複数のサイズを準備しなければならないばかりでなく、陰茎を長時間に渡って締め付け過ぎて血行不良による障害を生じさせる虞があるという問題点を有している。
【００１１】
さらに、前記特許文献３に記載の包茎矯正用具は、両端部に肉厚のリング状が形成された軟質弾性材からなる筒状の男性器サックであり、一方のリング状の端部を亀頭部根元に嵌め、包皮をペニスの付け根側に引っ張り他方のリング状の端部をペニスに装着し、側面部のバネ状によって包皮を付け根側に常に押し返すとしているが、陰茎は膨張・収縮が大きいことから、リング状の端部は収縮状態に合わせたサイズに形成されなければならないが、陰茎や亀頭の太さは様々であり、最小の収縮状態に合わせた大きさに形成されるようになると、それを装着した場合に陰茎が全体的に常に圧縮されるようになり、不快感を与えると共に圧縮と締め付けによる不都合が生じるという問題点を有している。
【００１２】
従って、前記公知技術に係る包茎治療具または包茎矯正用具においては、装着に手間が掛からないようにすると共に陰茎を締め付けないようにすること、および複数のサイズの治具を準備しなくても簡単に装着でき且つ比較的自然な状態で矯正の効果が出るようにすることに解決課題を有している。
【課題を解決するための手段】
【００１３】
本発明に係る包茎治療具は、樹脂材により全体を所要長さと所要径で両端の開口部を僅かに肉厚のリング状にし、陰茎を遊嵌状態で保持する筒状体に形成し、該筒状体の一端部側を僅かに拡径して背面側に湾曲させ、他端部側を縮径して形成し、前記筒状体の前面側の側面を長さ方向に沿って緩やかな曲面に形成すると共に、長さ方向に沿って一対の突出部を設けたことを特徴とするものである。
【００１４】
前記包茎治療具に係る発明においては、前記筒状体の一端部側と他端部側で、少なくとも一対の突出部間に切欠部を設けたこと；前記筒状体の所要長さが１００±５ｍｍで、所要径が４５±５ｍｍであること；及び前記筒状体に複数の孔を設けたこと；を付加的な要件として含むものである。
【発明の効果】
【００１５】
本発明に係る包茎治療具においては、樹脂材により所要長さと所要径で陰茎を遊嵌状態で保持する筒状体に形成すると共に、該筒状体の一端部側を僅かに拡径して背面側に湾曲させると共に、長さ方向に沿って一対の突出部を設けた構成にしたことにより、陰茎の亀頭に被さっている包皮を根元側に引き寄せた状態で装着させることができ、しかも、陰茎を上方に向けて常時亀頭を露出状態にした状態で、且つ横ズレすることなく遊嵌状態で長時間維持することで、自然な重力により包皮を亀頭小帯から根元の陰嚢側に位置付けして無理なく仮性包茎の治療をすることができるという優れた効果を奏する。
【００１６】
また、本発明に係る包茎治療具は、下着によって装着状態を維持できるので、何時でも何処ででも簡単に装着離脱ができると共に、陰茎を常に遊嵌状態で保持できるので、炎症や怪我の治療用保護ケースとしても使用することができるという優れた効果も奏する。
【発明を実施するための最良の形態】
【００１７】
本発明に係る包茎治療具を図示の具体的な実施の形態に基づいて詳しく説明する。図１〜図５は、第１の実施の形態に係る包茎治療具を示すものであり、図６は、第２の実施の形態に係る包茎治療具を示すものであり、図７は、包茎治療具の使用状態を示す説明図である。
【００１８】
まず、図１〜図５の第１の実施の形態に係る包茎治療具について説明する。包茎治療具１は、樹脂材で形成され一端部側（基端部側）２と他端部側（先端部側）３とが開口し、全体として所要長さと径とを有する略円筒形状の筒状体４に形成されたものである。
【００１９】
略円筒形状に形成された包茎治療具１は、一端部側２と他端部側３は各開口部の端縁部を肉厚で丸みを帯びたリング状部に形成すると共に、一端部側２は僅かに拡径して背面側に湾曲させることにより必然的に前面側が長くなり背面側が短くなる。また、他端部側３は僅かに縮径して円弧状に形成してある。
【００２０】
また、筒状体４の前面側の側面４ａは、図３と図５に示したように、緩やかな曲面に形成すると共に、前面側の中央部には、図４に示したように、長さ方向と曲面に沿ってリブなどの一対の突出部５を形成し、該突出部５間における一端部側２と他端部側３とに僅かな切欠部６、７を形成してある。
【００２１】
さらに、他端部側３には、図１、２に示したように、切欠部７と対向する位置に切欠部８を形成してある。そして、これらの突出部５および切欠部６、７、８は、使用時においてずれないようにまたは移動しないように一種の抵抗体として機能するものである。
【００２２】
一端部側２における筒状体４の背面側への湾曲部４ｂは、図３と図５に示したように、少しめくり上げるような曲面に形成すると共に、開口部の縁部においては両側面２ａ、２ｂが僅かに内側へ湾曲させた曲面に形成してある。そして、前記前面側における側面４ａの緩やかな曲面のＲはＲ＝１２０±４程度で、湾曲部４ｂにおける曲面のＲはＲ＝２０±２程度で、両側面２ａ、２ｂの内側へ湾曲させた曲面のＲはＲ＝３５±３程度である。  
【００２３】
また、包茎治療具１としてのサイズは、例えば、全体の長さが１００±５ｍｍ程度で、直径が４５±５ｍｍ程度で、肉厚は１．５±０．５ｍｍ程度に形成してある。このサイズは一例であって、これに限定されるものではない。
【００２４】
次に、第２の実施の形態に係る包茎治療具１について、図６を参照して説明する。この実施の形態に係る包茎治療具１の全体的な形状・構成・寸法などは、前記第１の実施の形態と実質的に同様であって、筒状体４の部分に複数の孔９を設けた点が相違するのみである。従って、同一部分には同一符号を付してその詳細な説明は重複するので省略する。  
【００２５】
要するに、この第２の実施の形態に係る包茎治療具１は、樹脂材で略円筒形に形成され両方（上下）の端部２、３が開口していること、一方の端部が僅かに拡径し背面側に湾曲させ、他方の端部は少し絞って小径に形成していること、などの形状・構成・寸法は実質的に同じであり、筒状体４の部分に通気性と軽量化を図るために複数個の孔９が設けられているのである。  
【００２６】
本発明に係る包茎治療具の使用について、図７に基づき代表して第１の実施の形態に係る包茎治療具１について説明すると、該包茎治療具１は、その一端部側２から陰茎１１に装着させる。この時に陰茎１１の亀頭１２に被さっている包皮１３を根元の陰嚢１４側に引き寄せ、少なくとも亀頭小帯１５から根元側に包皮１３が偏って位置するようにし、且つ陰茎１１の根元側に押し付けて包茎治療具１を装着させる。
【００２７】
このように装着させることによって、陰茎１１は遊嵌状態で上向きに包茎治療具１内に支持されるようになり、装着させた包茎治療具１は、例えば、プリーツ型のショートパンツまたはＴ字帯などの伸縮性の高い下着１６を着用することによって、装着が安定した状態で支持される。この場合に、装着した包茎治療具１は、その筒状体４に設けた突出部５と切欠部６、７が下着１６で押さえ付けられ、または下着１６の一部が係合した状態になって、通常の歩行状態では上下したり横にズレたりしないで全体が装着した上向き状態を確実に維持するのである。
【００２８】
そして、装着した包茎治療具１は全体が上向き状態で支持されるので、包茎治療具１の下端部側、即ち、一端部側２の拡径した湾曲部４ｂが恥骨１７の下側に当接して包皮１３の引き下げ状態を維持すると共に、開口部の縁部における内側に凹んだ両側面２ａ、２ｂの曲面が股間の曲面にフィットし、陰茎１１の亀頭１２が常に上向きに維持されるので、包皮１３が重力により根元の陰嚢１４側に下がり易くなっており、包茎治療具１による強制的な引き下げもあって、包皮１３は段差のある亀頭小帯１５を越えることがなく、上向き亀頭１２の露出状態が長時間に渡って維持され、包皮１３の引き下げが癖付けされるので仮性包茎を無理なく効率よく治療することができるのである。
【００２９】
一般的に、平常時（収縮状態）の陰茎１１は、先端側の亀頭１２部分が垂れ下がって下を向いた状態にあることから、特に、仮性包茎の場合は、余剰に存在する包皮１３が重力で自然に亀頭１２に被さるように常に癖付けされているのであり、それを包茎治療具１を使用して逆に平常時でも常に陰茎１１の亀頭１２側の先端部を上方に向けるようにして、余剰の包皮１３を根元の陰嚢１４側に常時引き下げて位置付けるように癖付けして、仮性包茎を治すようにするのである。  
【００３０】
また、包茎治療具１における筒状体４の前面側側面４ａの曲面は、陰茎１１を上向きにしたときの自然な反り具合に合わせたものであって、直線にするよりは装着したときに馴染み易くしたものであり、また、一端部側２の拡径した湾曲部４ｂの曲面も、陰茎１１を上向きにし且つ包皮１３の引き下げ状態を無理なく維持する上で好ましいものである。
【００３１】
さらに、使用状態において、トイレで小用する場合には、通常の小用と同じように、ズボンのチャックを開きパンツの前面開口部から手を入れて、包茎治療具１をパンツの中で一時的に持ち上げて横にずらして保持させることで、陰茎１１を簡単に引き出すことができるのであり、小用が済んだ後で再度包茎治療具１を陰茎１１に被せ、全体を下方に押し下げることによって包皮１３を引き下げて亀頭１２を露出させ、最初の状態、即ち陰茎１１を上向きに維持させることができるのである。特に、外出時において包茎治療具１を装着していても、通常はズボンを履いているのであるから、外部からは目立たないので日常生活において全く不便はないのである。
【００３２】
特に、本発明に係る包茎治療具１は、樹脂材で形成されているので、小水（尿）が付着しても簡単に洗浄して直ぐに使用できるのであり、例えば、毎日風呂に入る時に一緒に持ち込んで簡単に洗浄することができ、毎日清潔な状態にして使用できるのである。
【産業上の利用可能性】
【００３３】
いずれにしても本発明に係る包茎治療具１は、陰茎１１が遊嵌状態で装着され上向きに支持すると共に、亀頭１２に被さっている包皮１３を根元の陰嚢１４側に引き下げて亀頭１２を露出状態に維持し、仮性包茎の治療を自然な状態で無理なく効果的に行うことができるばかりでなく、例えば、陰茎部分に何等かの原因で怪我や炎症が生じた患者に対し、泌尿器科や皮膚科では患部に薬を塗布し、ガーゼで保護すると共に、適宜の絆創膏を巻き付けて固定するか、伸縮性のある筒状包帯を被せることが一般的に行われているが、陰茎が収縮すると下着との摩擦により外れてしまい、塗布した薬が下着側に転移して治療効果が低下し、下着も汚すという問題点があるが、陰茎に薬を塗布しガーゼで保護した後に本発明の包茎治療具１を被せることによって包帯を必要とせず、しかも、陰茎を圧迫しない状態で保持し塗布した薬が下着側に転移せず治療効果を上げると共に、下着を汚さないというメリットもあり、医療関係においても広い範囲で利用することができるのである。
【図面の簡単な説明】
【００３４】
【図１】本発明に係る第１の実施の形態の包茎治療具を示す正面図である。
【図２】同実施の形態に係る包茎治療具を示す背面図である。
【図３】同実施の形態に係る包茎治療具を示す左側面図である。
【図４】同実施の形態に係る包茎治療具を示す下面図である。
【図５】図１のＡ−Ａ線に沿う断面図である。
【図６】本発明に係る第２の実施の形態の包茎治療具を示す斜視図である。
【図７】本発明に係る包茎治療具の使用状態を示す説明図である。
【符号の説明】
【００３５】
１  包茎治療具
２  一端部側
３  他端部側
４  筒状体
４ａ  前面側の側面
４ｂ  湾曲部
５  突出部（抵抗体）
６、７、８  切欠部
９  孔
１１  陰茎
１２  亀頭
１３  包皮
１４  陰嚢
１５  亀頭小帯
１６  下着
１７  恥骨
【要約】
【課題】  包茎治療具においては、治具の装着に手間が掛からないようにすると共に陰茎を締め付けないようにすること、および複数のサイズの治具を準備しなくても簡単に装着でき且つ比較的自然な状態で矯正の効果が出るようにすること。
【解決手段】  本発明は、包茎治療具において、樹脂材により全体を所要長さと所要径で両端の開口部を僅かに肉厚のリング状にした筒状体に形成し、該筒状体の一端部側を僅かに拡径して背面側に湾曲させ、他端部側を縮径して形成し、前記筒状体の前面側の側面を長さ方向に沿って緩やかな曲面に形成すると共に一対の突出部を設けた構成にしたことにより、陰茎の亀頭に被さっている包皮を根元側に引き寄せた状態で装着させることができ、しかも、陰茎を上方に向けて常時亀頭を露出状態にした状態で長時間維持することで、自然な重力により包皮を亀頭小帯から根元の陰嚢側に位置付けして無理なく仮性包茎の治療をすることができる。
【選択図】図１【図１】
0004189021.tif 000002
【図２】
0004189021.tif 000003
【図３】
0004189021.tif 000004
【図４】
0004189021.tif 000005
【図５】
0004189021.tif 000006
【図６】
0004189021.tif 000007
【図７】
0004189021.tif 000008